(57)【要約】【解決手段】底部１の一方の相対する辺部に形成された土手部１ａに、一方の相対する側壁２がヒンジ連結されているとともに、底部のもう一方の相対する辺部に形成された土手部１ｂに、もう一方の相対する側壁３がヒンジ連結されて構成された折り畳みコンテナーにおいて、前記土手部１ａに配設された雌ヒンジ部材Ｈ１の切欠き凹部ｈ２を囲むように、前記土手部の内壁部１ａ１に、内壁側補強部材Ｅ１を形成したものである。【効果】折り畳みコンテナーが箱型に組み立てられた際の略垂直に立てられた側壁の変形を防止することができる。【選択図】図７
2005126108.tif 000002
【特許請求の範囲】
【請求項１】
底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、前記土手部に配設された雌ヒンジ部材の切欠き凹部を囲むように、前記土手部の内壁部に、内壁側補強部材が形成されていることを特徴とする折り畳みコンテナー。
【請求項２】
底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、前記土手部に配設された雌ヒンジ部材の縦孔付近に位置する土手部の外壁部に、外壁側補強部材が形成されていることを特徴とする折り畳みコンテナー。
【請求項３】
底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、前記土手部に配設された雌ヒンジ部材の切欠き凹部を囲むように、前記土手部の内壁部に、内壁側補強部材を形成するとともに、側壁に配設された雄ヒンジ部材付近に位置する、側壁の下部フランジと下部帯状枠とにより形成される外側隅部に、側壁側補強部材が形成されていることを特徴とする折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、底部の一方の相対する辺部に形成された土手部に、適当なヒンジ部材を介して、一方の相対する側壁をヒンジ連結するとともに、底部のもう一方の相対する辺部に形成された土手部に、同じく、適当なヒンジ部材を介して、もう一方の相対する側壁をヒンジ連結して構成された折り畳みコンテナーが、一例として、特許文献１に開示されている。
【特許文献１】特開２００２−１２０８３１号公報
【発明の開示】
【発明が解決しようとする課題】
【０００３】
上述した従来の折り畳みコンテナーにおいては、底部と側壁とのヒンジ連結部付近の強度や剛性が十分でないために、底部の土手部が変形したり、箱型に組み立てられた状態の側壁に、内側から外側に向かって外力が作用した際に、側壁が外側に変形する等の問題があった。
【０００４】
本発明の目的は、上述した従来の折り畳みコンテナーが有する課題を解決することにある。
【課題を解決するための手段】
【０００５】
本発明は、上述した目的を達成するために、底部の一方の相対する辺部に形成された土手部に、一方の相対する側壁がヒンジ連結されているとともに、底部のもう一方の相対する辺部に形成された土手部に、もう一方の相対する側壁がヒンジ連結されて構成された折り畳みコンテナーにおいて、第１には、前記土手部に配設された雌ヒンジ部材の切欠き凹部を囲むように、前記土手部の内壁部に、内壁側補強部材を形成したものであり、第２には、前記土手部に配設された雌ヒンジ部材の縦孔付近に位置する土手部の外壁部に、外壁側補強部材を形成したものであり、第３には、前記土手部に配設された雌ヒンジ部材の切欠き凹部を囲むように、前記土手部の内壁部に、内壁側補強部材を形成するとともに、雄ヒンジ部材付近に位置する、側壁の下部フランジと下部帯状枠とにより形成される外側隅部に、側壁側補強部材を形成したものである。
【発明の効果】
【０００６】
本発明は、上述した構成を有するので、以下に記載する効果を奏することができるものである。
【０００７】
底部の土手部に配設された雌ヒンジ部材の切欠き凹部を囲むように、前記土手部の内壁部に、内壁側補強部材を形成したので、折り畳みコンテナーが箱型に組み立てられた際の略垂直に立てられた側壁の変形を防止することができる。
【０００８】
底部の土手部に配設された雌ヒンジ部材の縦孔付近に位置する土手部の外壁部に、外壁側補強部材を形成したので、折り畳みコンテナーが箱型に組み立てられた際の略垂直に立てられた側壁の変形を防止することができる。
【０００９】
底部の土手部に配設された雌ヒンジ部材の切欠き凹部を囲むように、前記土手部の内壁部に、内壁側補強部材を形成するとともに、雄ヒンジ部材付近に位置する、側壁の下部フランジと下部帯状枠とにより形成される外側隅部に、側壁側補強部材を形成したので、折り畳みコンテナーが箱型に組み立てられた際の略垂直に立てられた側壁の変形を防止することができる。
【実施例】
【００１０】
以下に、本発明の実施例について説明するが、本発明の趣旨を越えない限り、何ら、本実施例に限定されるものではない。
【００１１】
先ず最初に、図１〜図３を用いて、本発明の折り畳みコンテナーの全体構成について説明する。
【００１２】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、本実施例においては、長辺側土手部１ａの高さは、短辺側土手部１ｂの高さより、高く形成されている。また、長辺側土手部１ａ及び短辺側土手部１ｂには、後述する雌ヒンジ部材Ｈ１が、所定の間隔で適当数、配設されている。
【００１３】
２は、長側壁であり、長側壁２の下部フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下部フランジ３ａの裏面にも、底部１の短側壁土手部１ｂに配設された雌ヒンジ部材Ｈ１に対応して、後述する雄ヒンジ部材Ｈ２が配設されている。
【００１４】
長側壁２の下部フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下部フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１５】
長側壁２の横長の略長方形状の板状部２ｂの両端部には、板状部２ｂに対して略直角方向に延在する縦長の係合枠４が形成されており、係合枠４には、適当数の透孔４ａが穿設されている。また、係合枠４付近に位置する板状部２ｂに、コの字状のスリット５を形成することにより、係合枠４側が自由端に形成された弾性舌片６が形成されている。弾性舌片６の先端部には、係合枠４と対向するように、係止凸部６ａが形成されている。
【００１６】
短側壁３の横長の略長方形状の板状部３ｂの両端部には、板状部３ｂを延長することにより、縦長の係合枠７が形成されており、係合枠７には、長側壁２の係合枠４に穿設されている透孔４ａに嵌合する嵌合突起７ａが形成されている。
【００１７】
図３に示されているように、折り畳まれた状態から、図１に示されているように、箱型に組み立てるには、先ず最初に、略水平状態の長側壁２を、略垂直に立て、次いで、短側壁３を、略垂直に立てられた長側壁２方向に回動させると、短側壁３の係合枠７に形成された嵌合突起７ａの長側壁２の係合枠４に穿設された透孔４ａへの嵌合に前後して、短側壁３の係合枠７が、長側壁２に形成された弾性舌片６の係止凸部６ａに当接し、弾性舌片６を外側に変形させる。そして、短側壁３の係合枠７が、長側壁２に形成された弾性舌片６の係止凸部６ａを通過した時点で、短側壁３の係合枠７により外側に押された弾性舌片６が、その復元力により戻り、弾性舌片６の係止凸部６ａが、略垂直に立てられた短側壁３の係合枠７に当接して、短側壁３の底部１方向への回動を阻止するように構成されている。
【００１８】
また、箱型に組み立てられた折り畳みコンテナーを、折り畳むには、先ず最初に、長側壁２の弾性舌片６を、その係止凸部６ａが、短側壁３の係合枠７から外れるように、外側に押し、その後、短側壁３を底部１方向に回動させることにより、短側壁３の係合枠７に形成された嵌合突起７ａを、長側壁２の係合枠４に穿設された透孔４ａから排出させて、短側壁３を底部１の上に倒す。その後、略垂直な長側壁２を、底部１方向に倒すことにより、箱型に組み立てられた折り畳みコンテナーを折り畳むように構成されている。
【００１９】
次に、図４〜図７を用いて、底部１の長辺側土手部１ａに配設されている雌ヒンジ部材Ｈ１を例に、雌ヒンジ部材Ｈ１について説明するとともに、長側壁２の下部フランジ２ａに配設されている雄ヒンジ部材Ｈ２を例に、雄ヒンジ部材Ｈ２について説明する。
【００２０】
底部１の長辺側土手部１ａは、底部１の底板１ｃの縁部から上方に略垂直に延在する内壁部１ａ１と、内壁部１ａ１の上端から外側に略水平に延在する水平部１ａ２と、水平部１ａ２の縁部から下方に底板１ｃ付近まで延在する外壁部１ａ３とから構成されており、長手方向に対して垂直な断面形状が、略逆Ｕ字状に形成されている。
【００２１】
長辺側土手部１ａには、平面形状が長方形の縦孔ｈ１が形成されており、また、長辺側土手部１ａの内壁部１ａ１には、上方が開放されているとともに、底板１ｃ方向に延在する方形状の切欠き凹部ｈ２が形成されている。切欠き凹部ｈ２の横幅（長辺側土手部１ａの長手方向に沿った長さ）Ｗ１は、縦孔ｈ１の長辺長さ（長辺側土手部１ａの長手方向に沿った長さ）Ｗ２より短く、且つ、切欠き凹部ｈ２は、縦孔ｈ１の長辺の略中央部に位置している。また、切欠き凹部ｈ２の両側に位置する内壁部１ａ１の内面（外壁部１ａ３側に位置する面）の上端部には、フックｈ３が突設されている。上記の長辺側土手部１ａに形成された縦孔ｈ１、切欠き凹部ｈ２及びフックｈ３とにより、雌ヒンジ部材Ｈ１が構成されている。
【００２２】
一方、長側壁２の板状部２ｂに垂直な下部フランジ２ａの裏面には、所定の間隔をおいて、且つ、下部フランジ２ａの長手方向に対して垂直に、一対の板状の支持片ｈ１０が垂設されており、また、一対の支持片ｈ１０は、連結片ｈ１１により連結されている。一対の支持片ｈ１０の外側面（一対の支持片ｈ１０の相対する面とは反対側の面）間の幅Ｗ３は、切欠き凹部ｈ２の横幅Ｗ１より、若干、狭く形成されており、一対の支持片ｈ１０が、切欠き凹部ｈ２に挿入可能なように構成されている。そして、ヒンジブロックｈ１２の下部フランジ２ａとの対向面（以下、上面という。）ｈ１２ａは、下部フランジ２ａと略平行な平坦面として形成されており、また、上記の上面ｈ１２ａの板状部２ｂ側に位置する端部には、略直方体状の当接ブロック部ｈ１２ｂが突設されており、更に、上面ｈ１２ａと相対する面（長側壁２を垂直に立てた際の底面）ｈ１２ｃは、支持片ｈ１０の略円弧状先端面に沿って、略円弧状に形成されている。
【００２３】
ヒンジブロックｈ１２の下部フランジ２ａに対して垂直方向の幅（ヒンジブロックｈ１２の底面ｈ１２ｃから当接ブロック部ｈ１２ｂの上面までの高さ）Ｗ４は、底部１の長辺側土手部１ａの外壁部１ａ３と内壁部１ａ１の内面に突設されたフックｈ３の先端との間の間隙Ｗ５より、若干、広く形成されている。上記の一対の支持片ｈ１０、連結片ｈ１１及び当接ブロック部ｈ１２ｂを有するヒンジブロックｈ１２とにより、雄ヒンジ部材Ｈ２が構成されている。
【００２４】
底部１と長側壁２とをヒンジ連結するには、図５に示されているように、長側壁２を、底部１と略平行になるように、略水平状態に配置し、その後、その状態を維持したまま、長側壁２を、底部１に向かって下降させ、長側壁２に形成されたヒンジブロックｈ１２が突設されている支持片ｈ１０を、長辺側土手部１ａに形成された切欠き凹部ｈ２に挿入するとともに、ヒンジブロックｈ１２を、長辺側土手部１ａに形成された縦孔ｈ１に挿入すると、ヒンジブロックｈ１２の下部フランジ２ａに対して垂直方向の幅Ｗ４は、底部１の長辺側土手部１ａの外壁部１ａ３と内壁部１ａ１の内面に突設されたフックｈ３の先端との間の間隙Ｗ５より、若干、広く形成されているので、ヒンジブロックｈ１２は、図５に示されているように、底部１の長辺側土手部１ａの内壁部１ａ１に形成された切欠き凹部ｈ２の両側に位置する内壁部１ａ１の内面に突設されたフックｈ３の上部傾斜面ｈ３ａに載置されることになる。その後、長側壁２と底部１とが略水平状態を維持したまま、長側壁２を、更に、底部１に向かって、強制的に下降させると、ヒンジブロックｈ１２は、長辺側土手部１ａの内壁部１ａ１或いは／及び外壁部１ａ３を湾曲変形させて、底部１に形成された長辺側土手部１ａの外壁部１ａ３と内壁部１ａ１の内面に突設されたフックｈ３との間の間隙Ｗ５を拡げることにより、長辺側土手部１ａの外壁部１ａ３と内壁部１ａ１の内面に突設されたフックｈ３との間を通過し、図６に示されているように、底部１に形成された長辺側土手部１ａの外壁部１ａ３と内壁部１ａ１との間に配置されることになる。このようにして、底部１の長辺側土手部１ａに配設された雌ヒンジ部材Ｈ１と長側壁２に配設された雄ヒンジ部材Ｈ２とがヒンジ連結されることになる。
【００２５】
折り畳みコンテナーが折り畳まれた状態から、略水平状態の長側壁２を、略垂直に立てると、図７に示されているように、ヒンジブロックｈ１２の当接ブロック部ｈ１２ｂが、底部１に形成された長辺側土手部１ａの内壁部１ａ１に突設されたフックｈ３の庇部ｈ３ｂの下に入り込むとともに、長側壁２の下部フランジ２ａが、底部１の長辺側土手部１ａの水平部１ａ２に載置されることになる。そして、フックｈ３の庇部ｈ３ｂの下に入り込んだヒンジブロックｈ１２の当接ブロック部ｈ１２ｂは、フックｈ３の庇部ｈ３ｂと当接するように、或いは、庇部ｈ３ｂに接近した位置をとるように構成されており、従って、折り畳みコンテナーが、箱型に組み立てられた状態においては、長側壁２が、上下方向にがたつくようなことがない。
【００２６】
長辺側土手部１ａの内壁部１ａ１の内面（外壁部１ａ３側に位置する面）には、内壁部１ａ１に形成された切欠き凹部ｈ２を囲むように、補強部材（以下、内壁側補強部材と称する。）Ｅ１が形成されている。内壁側補強部材Ｅ１は、切欠き凹部ｈ２を構成する相対する垂直縁ｈ２ａ付近において、垂直縁ｈ２ａに沿って、フックｈ３の庇部ｈ３ｂから下方に延在する垂直リブｅ１と、切欠き凹部ｈ２を構成する水平縁ｈ２ｂ付近において、水平縁ｈ２ｂに沿って延在するとともに、垂直リブｅ１の下端を連結する水平リブｅ２とから構成されており、長辺側土手部１ａに対向するように、内壁側補強部材Ｅ１を見た場合に、略Ｕ字状に形成されている。
【００２７】
箱型に組み立てられた長側壁２に、図７の矢印Ａ１に示されているように、内側から負荷が加わった際には、長側壁２は、下部フランジ２ａの外側端部と長辺側土手部１ａを構成する外壁部１ａ３の上端部との接点を支点Ｆ１として、図７において．反時計方向に回動しようとするので、フックｈ３の庇部ｈ３ｂの下に入り込んでいるヒンジブロックｈ１２が、内壁部１ａ１を押圧し、切欠き凹部ｈ２付近の内壁部１ａ１を変形させようとするが、切欠き凹部ｈ２付近に位置する内壁部１ａ１の内面には、凹部ｈ２を囲むように、略Ｕ字状の内壁側補強部材Ｅ１が形成されているので、切欠き凹部ｈ２付近の内壁部１ａ１が湾曲変形するようなことがなく、従って、長側壁２が外側に膨らむようなことを防止することができるとともに、切欠き凹部ｈ２付近の内壁部１ａ１の損傷を防止することができる。
【００２８】
上述したように、底部１の長辺側土手部１ａを構成する内壁部１ａ１の内面に、切欠き凹部ｈ２を囲むように、内壁側補強部材Ｅ１を形成したので、雌ヒンジ部材Ｈ１を構成する切欠き凹部ｈ２付近に位置する内壁部１ａ１の強度や剛性が増加し、従って、折り畳みコンテナーが箱型に組み立てられた際の長側壁２の外側への変形を防止することができる。なお、上述した実施例には、内壁側補強部材Ｅ１が、底部１の長辺側土手部１ａを構成する内壁部１ａ１の内面（外壁部１ａ３側に位置する面）に形成されている例が示されているが、内壁側補強部材Ｅ１を、外面（折り畳みコンテナーを箱型に組み立てた際に、折り畳みコンテナー内に位置する面）に配設することもできる。この場合には、内壁側補強部材Ｅ１を構成する垂直リブｅ１を、長辺側土手部１ａの水平部１ａ２付近まで延在することができる。
【００２９】
次に、図８及び図９を用いて、本発明の別の実施例について説明する。
【００３０】
この実施例は、長辺側土手部１ａに形成された平面形状が長方形の縦孔ｈ１内に位置する外壁部１ａ３の内面（内壁部１ａ１側に位置する面）に、肉厚部（以下、外壁側補強部材と称する。）Ｅ２を形成したものである。外壁側補強部材Ｅ２の横幅（長辺側土手部１ａの長手方向に沿った長さ）は、少なくとも、縦孔ｈ１の長辺長さ（長辺側土手部１ａの長手方向に沿った長さ）Ｗ２と同じになるように構成されている。
【００３１】
上述した実施例と同様に、箱型に組み立てられた長側壁２に、矢印Ａ１に示されているように、内側から負荷が加わった際には、長側壁２は、下部フランジ２ａの外側端部と長辺側土手部１ａを構成する外壁部１ａ３の上端部との接点を支点Ｆ１として、図９において．反時計方向に回動しようとするが、この支点Ｆ１にも、負荷が加わることになる。本実施例においては、少なくとも、長辺側土手部１ａに形成された縦孔ｈ１内に位置する外壁部１ａ３の内面には、肉厚部として構成された外壁側補強部材Ｅ２が形成されているので、縦孔ｈ１付近に位置する外壁部１ａ３の強度や剛性を増加することができ、従って、外壁部１ａ３の変形を防止することができる。よって、長側壁２が外側に膨らむようなことを防止することができるとともに、縦孔ｈ１付近に位置する外壁部１ａ３の損傷を防止することができる。
【００３２】
なお、外壁側補強部材Ｅ２を、長辺側土手部１ａの外壁部１ａ３を肉厚にすることにより形成する代わりに、長辺側土手部１ａの外壁部１ａ３の内面に、長辺側土手部１ａの長手方向に沿った、１本以上のリブを形成することもできる。この場合にも、リブは、少なくとも、縦孔ｈ１の長辺長さＷ２と同じになるように形成される。
【００３３】
また、上述した実施例には、外壁側補強部材Ｅ２が、底部１の長辺側土手部１ａを構成する外壁部１ａ３の内面（内壁部１ａ１側に位置する面）に形成されている例が示されているが、外壁部１ａ３の外面に形成することもできる。
【００３４】
図８及び図９に示されている実施例には、上述した長辺側土手部１ａに形成された縦孔ｈ１内に位置する外壁部１ａ３を、肉厚とすることにより構成された外壁側補強部材Ｅ２が形成されているとともに、長辺側土手部１ａの内壁部１ａ１の内面に、内壁部１ａ１に形成された切欠き凹部ｈ２を囲むように、内壁側補強部材Ｅ１が形成されている例が示されているが、内壁側補強部材Ｅ１或いは外壁側補強部材Ｅ２の何方か一方の補強部材を形成することも、また、図８及び図９に示されているように、内壁側補強部材Ｅ１と外壁側補強部材Ｅ２の両方を形成することもできる。
【００３５】
次に、図１０及び図１１を用いて、本発明の更に別の実施例について説明する。
【００３６】
本実施例においては、長側壁２には、板状部２ｂを、下部フランジ２ａを越えて、所定長さ下方に延長することにより、下部フランジ２ａの真下には、横長の下部帯状枠２ｃが形成されており、下部フランジ２ａと下部帯状枠２ｃとにより、外側隅部２ｄが形成されている。そして、長側壁２の下部フランジ２ａの裏面に配設された雄ヒンジ部材Ｈ２を構成する一対の支持片ｈ１０の外側面（一対の支持片ｈ１０の相対する面とは反対側の面）付近に位置する外側隅部２ｄには、略角柱状の側壁側補強部材Ｅ３が配設されている。
【００３７】
底部１の長辺側土手部１ａを構成する内壁部１ａ１と水平部１ａ２とにより形成される角部には、長側壁２が、略垂直に立てられた際に、上述した略角柱状の側壁側補強部材Ｅ３が嵌合される切欠き凹部１ａ４が形成されている。
【００３８】
また、本実施例においても、図４〜図７を用いて説明した上述した実施例における略Ｕ字状の内壁側補強部材Ｅ１が、底部１の長辺側土手部１ａを構成する内壁部１ａ１の内面に、内壁部１ａ１に形成された切欠き凹部ｈ２を囲むように形成されている。
【００３９】
上述したように、長側壁２の下部フランジ２ａの裏面に配設された雄ヒンジ部材Ｈ２を構成する一対の支持片ｈ１０の外側面付近に位置する外側隅部２ｄに、略角柱状の側壁側強部材Ｅ３が形成されているとともに、底部１の長辺側土手部１ａを構成する内壁部１ａ１の内面には、内壁部１ａ１に形成された切欠き凹部ｈ２を囲むように内壁側補強部材Ｅ１が形成されており、折り畳みコンテナーが箱型に組み立てられ、長側壁２が略垂直に立てられた状態においては、長辺側土手部１ａの内壁部１ａ１のフックｈ３と反対側の上端面には、側壁側補強部材Ｅ３が当接或いは接近して位置するとともに、底部１の長辺側土手部１ａを構成する内壁部１ａ１の内面に形成された内壁側補強部材Ｅ１には、長側壁２の下部フランジ２ａの裏面に配設された雄ヒンジ部材Ｈ２のヒンジブロックｈ１２が当接或いは接近して位置し、側壁側補強部材Ｅ３と内壁側補強部材Ｅ１とにより、長辺側土手部１ａを構成する内壁部１ａ１を挟持するように構成されているので、雌ヒンジ部材Ｈ１を構成する切欠き凹部ｈ２付近に位置する内壁部１ａ１の変形を防止することができ、よって、長側壁２に負荷が加わっても、長側壁２が倒れたり、変形するようなことを防止することができる。
【００４０】
図１２及び図１３に示されている実施例には、上述した長辺側土手部１ａの内壁部１ａ１の内面に、内壁部１ａ１に形成された切欠き凹部ｈ２を囲むように形成された内壁側補強部材Ｅ１、長辺側土手部１ａに形成された縦孔ｈ１内に位置する外壁部１ａ３の内面に形成された外壁側補強部材Ｅ２及び長側壁２の下部フランジ２ａの裏面に配設された雄ヒンジ部材Ｈ２を構成する一対の支持片ｈ１０の外側面付近に位置する外側隅部２ｄに形成された側壁側補強部材Ｅ３の全ての補強部材Ｅ１〜Ｅ３が形成されている例が示されている。
【００４１】
上述したように、内壁側補強部材Ｅ１を、底部１の長辺側土手部１ａに配設された雌ヒンジ部材Ｈ１の切欠き凹部ｈ２を囲むように形成したので、雌ヒンジ部材Ｈ１の切欠き凹部ｈ２付近に位置する内壁部１ａ１の強度や剛性を増加することができ、従って、折り畳みコンテナーが箱型に組み立てられた際の略垂直に立てられた長側壁２の変形を防止することができる。
【００４２】
また、上述したように、外壁側補強部材Ｅ２を、長辺側土手部１ａに形成された縦孔ｈ１内に位置する外壁部１ａ３に形成したので、雌ヒンジ部材Ｈ１の縦孔ｈ１付近に位置する外壁部１ａ３の強度や剛性を増加することができ、従って、折り畳みコンテナーが箱型に組み立てられた際の略垂直に立てられた長側壁２の変形を防止することができる。
【００４３】
更に、上述したように、底部１の長辺側土手部１ａに配設された雌ヒンジ部材Ｈ１の切欠き凹部ｈ２を囲むように、内壁側補強部材Ｅ１を形成するとともに、長辺側土手部１ａに形成された縦孔ｈ１内に位置する外壁部１ａ３に、外壁側補強部材Ｅ２を形成することにより、雌ヒンジ部材Ｈ１付近に位置する長辺側土手部１ａの内壁部１ａ１及び外壁部１ａ３の強度や剛性を増加することができ、従って、折り畳みコンテナーが箱型に組み立てられた際の略垂直に立てられた長側壁２の変形を更に効果的に防止することができる。
【００４４】
更にまた、長側壁２の下部フランジ２ａの裏面に配設された雄ヒンジ部材Ｈ２を構成する一対の支持片ｈ１０の外側面付近に位置する外側隅部２ｄに、側壁側補強部材Ｅ３を形成するとともに、底部１の長辺側土手部１ａを構成する内壁部１ａ１の内面に、内壁部１ａ１に形成された切欠き凹部ｈ２を囲むように内壁側補強部材Ｅ１を形成することにより、折り畳みコンテナーが箱型に組み立てられ、長側壁２が略垂直に立てられた状態において、長辺側土手部１ａを構成する内壁部１ａ１を、側壁側補強部材Ｅ３と内壁側補強部材Ｅ１とにより挟持するように構成したので、雌ヒンジ部材Ｈ１を構成する切欠き凹部ｈ２付近に位置する内壁部１ａ１の変形を防止することができ、従って、長側壁２に負荷が加わっても、長側壁２が倒れたり、変形するようなことを防止することができる。
【００４５】
なお更に、底部１の長辺側土手部１ａに配設された雌ヒンジ部材Ｈ１の切欠き凹部ｈ２を囲むように、内壁側補強部材Ｅ１を形成するとともに、長辺側土手部１ａに形成された縦孔ｈ１内に位置する外壁部１ａ３に、外壁側補強部材Ｅ２を形成し、更に、長側壁２の下部フランジ２ａの裏面に配設された雄ヒンジ部材Ｈ２を構成する一対の支持片ｈ１０の外側面付近に位置する外側隅部２ｄに、側壁側補強部材Ｅ３を形成するように構成することにより、長側壁２の変形を、より確実に防止することができる。
【００４６】
なお、上述した実施例には、底部１の長辺側土手部１ａに、内壁側補強部材Ｅ１や外壁側補強部材Ｅ２を形成し、また、長側壁２に、側壁側補強部材Ｅ３を形成した例が示されているが、上述した長辺側土手部１ａと同様の構造を有する底部１の短辺側土手部１ｂに、内壁側補強部材Ｅ１や外壁側補強部材Ｅ２を形成し、また、短側壁３に、側壁側補強部材Ｅ３を形成することもできる。
【００４７】
長側壁２は、短側壁３に比べ、横幅が広く、従って、長手方向に変形し易いので、少なくとも、底部１の長辺側土手部１ａには、内壁側補強部材Ｅ１や外壁側補強部材Ｅ２を形成することが好ましく、また、少なくとも、長側壁２に、側壁側補強部材Ｅ３を形成することが好ましい。
【００４８】
なお、図１４及び図１５に示されているように、長側壁２の下部フランジ２ａと板状部２ｂとにより形成される隅部２ｅのうち、雄ヒンジ部材Ｈ２付近に位置する隅部２ｅに、三角形状のコーナーリブ２ｆを、適当数、形成することにより、底部１の長辺側土手部１ａに配設された雌ヒンジ部材Ｈ１とヒンジ連結された際に、大きな負荷がかかる雄ヒンジ部材Ｈ２が配設された下部フランジ２ａの強度や剛性を高めることができ、従って、下部フランジ２ａの変形や損傷を防止することができる。
【００４９】
また、図１等に示されているように、長側壁２の下部フランジ２ａと板状部２ｂの外面（折り畳みコンテナーが箱型に組み立てられた際に、外側に位置する面）２ｂ１の適当な個所には、所定数の垂直リブ２ｇが形成されているが、このような垂直リブ２ｇを、長側壁２の下部フランジ２ａの裏面に配設された雄ヒンジ部材Ｈ２付近に形成することにより、下部フランジ２ａの強度や剛性を高めるように構成することもできる。なお、このような、三角形状のコーナーリブ２ｆや垂直リブ２ｇを、必要に応じて、短側壁３に形成することもできる。
【図面の簡単な説明】
【００５０】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの長側壁と底部とのヒンジ連結を説明するための部分分解斜視図である。
【図５】図５は、本発明の折り畳みコンテナーの長側壁と底部とのヒンジ連結を説明するためのヒンジ連結部分の垂直断面図である。
【図６】図６は、同じく、本発明の折り畳みコンテナーの長側壁と底部とのヒンジ連結を説明するためのヒンジ連結部分の垂直断面図である。
【図７】図７は、同じく、本発明の折り畳みコンテナーの長側壁と底部とのヒンジ連結を説明するためのヒンジ連結部分の垂直断面図である。
【図８】図８は、本発明の別の実施例の折り畳みコンテナーの長側壁と底部とのヒンジ連結を説明するための部分分解斜視図である。
【図９】図９は、本発明の別の実施例の折り畳みコンテナーの長側壁と底部とのヒンジ連結を説明するためのヒンジ連結部分の垂直断面図である。
【図１０】図１０は、本発明の更に別の実施例の折り畳みコンテナーの長側壁と底部とのヒンジ連結を説明するための部分分解斜視図である。
【図１１】図１１は、本発明の更に別の実施例の折り畳みコンテナーの長側壁と底部とのヒンジ連結を説明するためのヒンジ連結部分の垂直断面図である。
【図１２】図１２は、本発明のなお更に別の実施例の折り畳みコンテナーの長側壁と底部とのヒンジ連結を説明するための部分分解斜視図である。
【図１３】図１３は、本発明のなお更に別の実施例の折り畳みコンテナーの長側壁と底部とのヒンジ連結を説明するためのヒンジ連結部分の垂直断面図である。
【図１４】図１４は、別の実施例の長側壁を有する本発明の折り畳みコンテナーの図４と同様の部分分解斜視図である。
【図１５】図１５は、別の実施例の長側壁を有する本発明の折り畳みコンテナーの図７と同様の垂直断面図である。
【符号の説明】
【００５１】
Ｅ１・・・・・・・・・・・内壁側補強部材
Ｅ２・・・・・・・・・・・外壁側補強部材
Ｅ３・・・・・・・・・・・側壁側補強部材
Ｈ１・・・・・・・・・・・雌ヒンジ部材
Ｈ２・・・・・・・・・・・雄ヒンジ部材
ｈ３・・・・・・・・・・・フック
ｈ１０・・・・・・・・・・支持片
ｈ１２・・・・・・・・・・ヒンジブロック
１・・・・・・・・・・・・底部
１ａ・・・・・・・・・・・長辺側土手部
１ｂ・・・・・・・・・・・短辺側土手部
２・・・・・・・・・・・・長側壁
３・・・・・・・・・・・・短側壁
【図１】
2005126108.tif 000003
【図２】
2005126108.tif 000004
【図３】
2005126108.tif 000005
【図４】
2005126108.tif 000006
【図５】
2005126108.tif 000007
【図６】
2005126108.tif 000008
【図７】
2005126108.tif 000009
【図８】
2005126108.tif 000010
【図９】
2005126108.tif 000011
【図１０】
2005126108.tif 000012
【図１１】
2005126108.tif 000013
【図１２】
2005126108.tif 000014
【図１３】
2005126108.tif 000015
【図１４】
2005126108.tif 000016
【図１５】
2005126108.tif 000017